(57)【要約】【課題】端子の周りを樹脂被覆する複数の保持部が高さ方向で積層されるコネクタにおいて、端子間の沿面距離を確保しつつ、低背化が可能な構成を提供する。【解決手段】コネクタ１０は、第１端子６２及び第２端子３２と、第１端子６２及び第２端子３２の周りをそれぞれ樹脂被覆する第１保持部７２及び第２保持部４２と、を備えている。第１保持部７２と第２保持部４２は、互いに高さ方向で積層されている。第１端子６２は、第１保持部７２の樹脂表面に露出する露出面６２Ｈを有している。第２保持部４２は、第１保持部７２との積層状態で、第１端子６２の露出面６２Ｈを覆う。【選択図】図１
2020053331.tif 000002
【特許請求の範囲】
【請求項１】
第１端子及び第２端子と、
前記第１端子及び前記第２端子の周りをそれぞれ樹脂被覆する第１保持部及び第２保持部と、
を備え、
前記第１保持部と前記第２保持部は、互いに高さ方向で積層され、
前記第１端子は、前記第１保持部の樹脂表面に露出する露出面を有し、
前記第２保持部は、前記第１保持部との積層状態で、前記第１端子の露出面を覆う部分を有することを特徴とするコネクタ。
【請求項２】
前記第１端子及び前記第２端子は、
両端側に配置され、相手端子に接続される接続部と、
両接続部間で、且つ、両接続部の突出方向と交差する方向に配置される中継部と、
を有し、
前記第１保持部及び前記第２保持部は、それぞれ前記第１端子及び前記第２端子の前記接続部を除く部分を被覆し、前記中継部と対応する部位に中継保持部を有し、
前記第１端子の中継部は、前記露出面を有し、
前記第２保持部の中継保持部は、前記露出面を覆う部分を有することを特徴とする請求項１に記載のコネクタ。
【請求項３】
前記第１端子及び前記第２端子は、前記接続部と同方向に延び、前記中継部側に位置する接続部隣接部を有し、前記接続部隣接部の周りの全周がそれぞれ前記第１保持部及び前記第２保持部で樹脂被覆されていることを特徴とする請求項２に記載のコネクタ。
【請求項４】
前記第１保持部と前記第２保持部が前記高さ方向と交差する方向に一体に連なり、凹みの底面に前記第１端子が位置する凹凸状の端子ブロック部を備え、
複数の前記端子ブロック部が前記高さ方向に凹凸嵌合するように積層される請求項１ないし請求項３のいずれか１項に記載のコネクタ。
【発明の詳細な説明】
【技術分野】
【０００１】
本発明は、コネクタに関するものである。
【背景技術】
【０００２】
特許文献１に開示されるコネクタは、中空部を有するコネクタハウジングと、複数の端子を保持する複数の端子ブロックと、を備えている。複数の端子ブロックは、積層された状態でコネクタハウジングの中空部に嵌め込まれている。端子ブロックは、複数の端子と、これら複数の端子と一体的に形成される絶縁部材と、を備えている。絶縁部材は、延在方向に沿って前面と背面の間を貫通するように複数の圧入孔が設けられている。そして、複数の端子は、複数の圧入孔にそれぞれ圧入されることで、絶縁部材によって支持されている。
【先行技術文献】
【特許文献】
【０００３】
【特許文献１】特許第６２７５６０３号公報
【発明の概要】
【発明が解決しようとする課題】
【０００４】
特許文献１のコネクタは、各端子が絶縁部材によって周りが被覆される構成であり、端子ブロックの高さ方向における端子間の沿面距離を確保している。しかしながら、このコネクタは、複数の端子ブロックが積層されるため、隣り合う端子ブロック間で、端子間にそれぞれの絶縁部材が介在することになる。そのため、コネクタは、端子ブロックの高さ方向のサイズが大きくなってしまう。このような問題に対して、コネクタは、端子ブロックの高さ方向における端子間の沿面距離を確保するとともに、低背化が可能な構成が求められている。
【０００５】
本発明は上記のような事情に基づいて完成されたものであって、端子の周りを樹脂被覆する複数の保持部が高さ方向で積層されるコネクタにおいて、端子間の沿面距離を確保しつつ、低背化が可能な構成を提供することを目的とする。
【課題を解決するための手段】
【０００６】
本発明のコネクタは、
第１端子及び第２端子と、
前記第１端子及び前記第２端子の周りをそれぞれ樹脂被覆する第１保持部及び第２保持部と、
を備え、
前記第１保持部と前記第２保持部は、互いに高さ方向で積層され、
前記第１端子は、前記第１保持部の樹脂表面に露出する露出面を有し、
前記第２保持部は、前記第１保持部との積層状態で、前記第１端子の露出面を覆う部分を有することを特徴とする。
【発明の効果】
【０００７】
このコネクタは、第１端子及び第２端子の周りをそれぞれ樹脂被覆する第１保持部及び第２保持部を備えている。そして、第１保持部と第２保持部は、互いに高さ方向で積層されている。そのため、コネクタは、第１端子と第２端子との間には樹脂が介在することになり、第１端子と第２端子の間の沿面距離（絶縁距離）を確実に確保することができる。その上で、第２保持部は、第１保持部との積層状態で、第１保持部の樹脂表面に露出する第１端子の露出面を覆う部分を有している。そのため、第１保持部は、第１端子の露出面を樹脂被覆することなく、第２保持部の樹脂を第２端子との間に介在させることができる。これにより、コネクタは、第１端子の露出面を樹脂被覆しない分だけ低背化を図ることができる。したがって、コネクタは、端子間の沿面距離を確保した上で、低背化が可能となる。
【図面の簡単な説明】
【０００８】
【図１】実施例１のコネクタの正面側から見た断面図である。
【図２】コネクタの左側面図である。
【図３】一側端子ブロック部の斜視図である。
【図４】他側端子ブロック部の斜視図である。
【図５】一側端子ブロック部と他側端子ブロック部の積層状態を示す正面図である。
【図６】一側端子ブロック部と他側端子ブロック部の積層状態を示す背面図である。
【図７】一側端子ブロック部と他側端子ブロック部の積層状態を示す左側面図である。
【図８】一側端子ブロック部と他側端子ブロック部の積層状態を示す右側面図である。
【図９】一側端子ブロック部と他側端子ブロック部の積層状態を示す平面図である。
【図１０】一側端子ブロック部と他側端子ブロック部の積層状態を示す底面図である。
【図１１】図７のＡ−Ａ断面を示す正面側から見た断面図である。
【図１２】図５のＢ−Ｂ断面を示す左側から見た断面図である。
【図１３】従来のコネクタにおける積層部分の断面を概略的に示す左側から見た断面図である。
【発明を実施するための形態】
【０００９】
本発明は、前記第１端子及び前記第２端子が、両端側に設けられ、相手端子に接続される接続部と、両接続部間で、且つ、両接続部の突出方向と交差する方向に配置される中継部と、を有してもよい。前記第１保持部及び前記第２保持部は、それぞれ前記第１端子及び前記第２端子の前記接続部を除く部分を被覆し、前記中継部と対応する部位に中継保持部を有してもよい。前記第１端子の中継部は、前記露出面を有してもよい。前記第２保持部の中継保持部は、前記露出面を覆う部分を有してもよい。
相手端子との関係上、第１端子及び第２端子の両接続部は、端子間の一定のピッチを確保する必要がある。そこで、第１端子における接続部とは異なる部分である中継部に露出面を設け、第２保持部の中継保持部で露出面を覆う構成としている。このように、各接続部とは異なる部分であり、両接続部の突出方向と交差する方向に配置される中継部で端子間のピッチの変更を行うことで、相手端子との接続に支障が生じないように低背化を図ることができる。
【００１０】
本発明は、前記第１端子及び前記第２端子が、前記接続部と同方向に延び、前記中継部側に位置する接続部隣接部を有し、前記接続部隣接部の周りの全周がそれぞれ前記第１保持部及び前記第２保持部で樹脂被覆されていてもよい。
この構成によれば、コネクタは、第１端子及び第２端子のそれぞれの接続部隣接部の間に樹脂が介在することになり、両接続部隣接部の間における沿面距離（絶縁距離）を確実に確保することができる。
【００１１】
本発明は、コネクタが、前記第１保持部と前記第２保持部が前記高さ方向と交差する方向に一体に連なり、凹みの底面に前記第１端子が位置する凹凸状の端子ブロック部を備えてもよい。複数の前記端子ブロック部が前記高さ方向に凹凸嵌合するように積層されてもよい。
この構成によれば、第１保持部と第２保持部が高さ方向と交差する方向に一体に連なる凹凸状の複数の端子ブロック部が、高さ方向に凹凸嵌合するように積層されている。そのため、コネクタは、複数の端子ブロック部が互いに位置ずれすることを防ぐことができる。その上で、端子ブロック部は、凹みの底面に第１端子が位置する構成であり、第１端子の露出面を他方の端子ブロック部で覆うことができる。これにより、コネクタは、複数の端子ブロック部の凹凸嵌合を利用して第１端子の露出面を覆うことができる。したがって、コネクタは、複数の端子ブロック部の互いの位置ずれを防ぎつつ、端子間の沿面距離を確保した上で、低背化が可能な構成とすることができる。
【００１２】
＜実施例１＞
以下、本発明を具体化した実施例１を図１〜図１３を参照して説明する。尚、以下の説明において、前後の方向（幅方向とする）については、図１，５，１１において紙面手前を前方、紙面奥を後方と定義する。上下の方向（高さ方向とする）については、図１，２，５〜８，１１，１２，１３にあらわれる向きを、そのまま上方、下方と定義する。左右の方向については、図１，５，９〜１１にあらわれる向きを、そのまま左方、右方と定義する。
【００１３】
本実施例１のコネクタ１０は、図１に示すように、一側端子ブロック部２０と、他側端子ブロック部５０と、ハウジング８０（図２も参照）と、を備えている。一側端子ブロック部２０と他側端子ブロック部５０は、互いに高さ方向で積層されている。具体的には、コネクタ１０は、高さ方向の一側（図１では下側）に一側端子ブロック部２０が位置し、高さ方向の他側（図１では上側）に他側端子ブロック部５０が位置するように構成されている。ハウジング８０は、互いに積層された状態の一側端子ブロック部２０及び他側端子ブロック部５０をインサートして成形されている。
【００１４】
まず、一側端子ブロック部２０について説明する。
一側端子ブロック部２０は、図３に示すように、第１端子３１，３３と、第２端子３２と、第１保持部４１，４３と、第２保持部４２と、を備えている。なお、第１端子３１，３３、及び第２端子３２は、同じ形態となっている。
【００１５】
第１端子３１は、図５に示すように、導電金属製であって、一端（図５の上端）から他端（図５の下端）にかけて細長く延びる角ピン状の形態である。第１端子３１は、直線状の切断線材に対して曲げ加工されて、クランク状に形成されている。第１端子３１は、曲げ部３１Ａ，３１Ｂと、接続部３１Ｃ，３１Ｄと、中継部３１Ｅと、接続部隣接部３１Ｆ，３１Ｇと、を備えている。曲げ部３１Ａ，３１Ｂは、第１端子３１の２箇所に設けられている。曲げ部３１Ａ，３１Ｂは、直角曲げされている。接続部３１Ｃ，３１Ｄは、それぞれ第１端子３１の各端部（一端及び他端）に設けられ、相手端子（図示略）に接続される。接続部３１Ｃは、高さ方向において上側に延びている。接続部３１Ｄは、接続部３１Ｃとは反対側に向かうように、高さ方向において下側に延びている。中継部３１Ｅは、両接続部３１Ｃ，３１Ｄ間（より具体的には曲げ部３１Ａ，３１Ｂ間）で、且つ、両接続部３１Ｃ，３１Ｄの突出方向と交差する方向（左右方向）に沿って配置されている。中継部３１Ｅは、図３に示すように、後述する第１保持部４１の樹脂表面において上方に向かって露出する露出面３１Ｈを有している。露出面３１Ｈは、中継部３１Ｅの上面であり、長方形状である。接続部隣接部３１Ｆ，３１Ｇは、第１端子３１において、それぞれ接続部３１Ｃ，３１Ｄと同方向に延び、中継部３１Ｅ側（それぞれ接続部３１Ｃ，３１Ｄと中継部３１Ｅの間）に位置している。
【００１６】
第２端子３２は、第１端子３１の曲げ部３１Ａ，３１Ｂ、接続部３１Ｃ，３１Ｄ、中継部３１Ｅ、及び接続部隣接部３１Ｆ，３１Ｇとそれぞれ同じ形態で、図１１に示すように、曲げ部３２Ａ，３２Ｂと、接続部３２Ｃ，３２Ｄと、中継部３２Ｅと、接続部隣接部３２Ｆ，３２Ｇと、を備えている。なお、中継部３２Ｅは、中継部３１Ｅと異なり、後述する第２保持部４２によって周りの全周が樹脂被覆されている。
【００１７】
第１端子３３は、第１端子３１の曲げ部３１Ａ，３１Ｂ、接続部３１Ｃ，３１Ｄ、中継部３１Ｅ、及び接続部隣接部３１Ｆ，３１Ｇとそれぞれ同じ形態で、図６に示すように、曲げ部３３Ａ，３３Ｂと、接続部３３Ｃ，３３Ｄと、中継部３３Ｅと、接続部隣接部３３Ｆ，３３Ｇと、を備えている。中継部３３Ｅは、図３に示すように、後述する第１保持部４３の樹脂表面において上方に向かって露出する露出面３３Ｈを有している。露出面３３Ｈは、中継部３３Ｅの上面であり、長方形状である。
【００１８】
第１保持部４１，４３、及び第２保持部４２は、図３に示すように、それぞれ第１端子３１，３３、及び第２端子３２の周りをそれぞれ樹脂被覆している。第１保持部４１，４３、及び第２保持部４２は、それぞれ第１端子３１，３３、及び第２端子３２をインサート成形（１次インサート成形）するモールド樹脂によって成形されている。具体的には、第１保持部４１は、第１端子３１の接続部３１Ｃ，３１Ｄを除く部分を被覆している。第２保持部４２は、第２端子３２の接続部３２Ｃ，３２Ｄを除く部分を被覆している。第１保持部４３は、第１端子３３の接続部３３Ｃ，３３Ｄを除く部分を被覆している。以下、第１保持部４１，４３、及び第２保持部４２について詳しく説明する。
【００１９】
第１保持部４１は、図３、図５に示すように、中継保持部４１Ｅと、隣接部保持部４１Ｆ，４１Ｇと、を備えている。中継保持部４１Ｅは、第１端子３１の中継部３１Ｅと対応する部位に設けられている。中継保持部４１Ｅは、中継部３１Ｅの長手方向に沿って延びる略直方体形状であり、中継部３１Ｅの正面、背面、及び下面を樹脂被覆するように、中継部３１Ｅを保持している。中継保持部４１Ｅは、第１端子３１の中継部３１Ｅの上面（露出面３１Ｈ）を露出させている。中継保持部４１Ｅの上面は、中継部３１Ｅの上面と面一状になっている。隣接部保持部４１Ｆ，４１Ｇは、図３、図５に示すように、それぞれ接続部隣接部３１Ｆ，３１Ｇの長手方向に沿う略直方体形状であり、それぞれ接続部隣接部３１Ｆ，３１Ｇの周りの全周を樹脂被覆している。第１保持部４１は、図３、図５に示すように、中継保持部４１Ｅの右端及び左端が、それぞれ隣接部保持部４１Ｆの下端及び隣接部保持部４１Ｇの上端とつながっており、図５に示すように、正面視でクランク状になっている。
【００２０】
第２保持部４２は、図３、図１１に示すように、中継保持部４２Ｅと、隣接部保持部４２Ｆ，４２Ｇと、リブ４２Ｈと、を備えている。中継保持部４２Ｅは、図１１に示すように、第２端子３２の中継部３２Ｅと対応する部位に設けられている。中継保持部４２Ｅは、中継部３２Ｅの長手方向に沿って延びる略直方体形状であり、中継部３２Ｅの周りの全周を樹脂被覆するように、中継部３２Ｅを保持している。隣接部保持部４２Ｆ，４２Ｇは、それぞれ接続部隣接部３２Ｆ，３２Ｇの長手方向に沿う略直方体形状であり、それぞれ接続部隣接部３２Ｆ，３２Ｇの周りの全周を樹脂被覆している。第２保持部４２は、図３、図１１に示すように、中継保持部４２Ｅの右端及び左端が、それぞれ隣接部保持部４２Ｆの下端及び隣接部保持部４２Ｇの上端とつながっており、図１１に示すように、正面視でクランク状になっている。リブ４２Ｈは、図８、図１０〜１２に示すように、中継保持部４２Ｅの下面、及び接続部隣接部３２Ｇの右側面から延出する四角状の板片である。リブ４２Ｈは、左右方向において、中継保持部４２Ｅの中央より左側部分に連なっている。リブ４２Ｈの下端は、接続部隣接部３２Ｇの下端と同じ高さになっている。
【００２１】
第１保持部４３は、図３、図６に示すように、中継保持部４３Ｅと、隣接部保持部４３Ｆ，４３Ｇと、を備えている。中継保持部４３Ｅは、第１端子３３の中継部３３Ｅと対応する部位に設けられている。中継保持部４３Ｅは、中継部３３Ｅの長手方向に沿って延びる略直方体形状であり、中継部３３Ｅの正面、背面、及び下面を樹脂被覆するように、中継部３３Ｅを保持している。中継保持部４３Ｅは、第１端子３３の中継部３３Ｅの上面（露出面３３Ｈ）を露出させている。中継保持部４３Ｅの上面は、中継部３３Ｅの上面と面一状になっている。隣接部保持部４３Ｆ，４３Ｇは、図３、図６に示すように、それぞれ接続部隣接部３３Ｆ，３３Ｇの長手方向に沿う略直方体形状であり、それぞれ接続部隣接部３３Ｆ，３３Ｇの周りの全周を樹脂被覆している。第１保持部４３は、図３、図６に示すように、中継保持部４３Ｅの右端及び左端が、それぞれ隣接部保持部４３Ｆの下端及び隣接部保持部４３Ｇの上端とつながっており、図６に示すように、背面視でクランク状になっている。
【００２２】
第１保持部４１，４３、及び第２保持部４２は、図８、図１２に示すように、幅方向（前後方向）に一体に連なっている。具体的には、第１保持部４１、第２保持部４２、及び第１保持部４３は、この順番で前側から後側に向かって並んでいる。また、第１保持部４１、第２保持部４２、及び第１保持部４３は、各端子３１〜３３の上下方向における位置（高さ）が同じになるように連なっている。そのため、第１保持部４１，４３は、それぞれ第２端子６１，６３の中継部３１Ｅ，３３Ｅを上方から覆っていない分、第２保持部４２に対して下方に凹んでいる。これにより、一側端子ブロック部２０は、上面が凹凸状になっており、凹みの底面（中継保持部４１Ｅ，４３Ｅの各上面）に第１端子３１，３３が位置している。
【００２３】
次に、他側端子ブロック部５０について説明する。
他側端子ブロック部５０は、図４に示すように、第１端子６２と、第２端子６１，６３と、第１保持部７２と、第２保持部７１，７３と、を備えている。なお、第１端子６２、及び第２端子６１，６３は、上述した第１端子３１と同じ形態となっており、詳しい説明を省略する。
【００２４】
第２端子６１は、上述した第１端子３１の曲げ部３１Ａ，３１Ｂ、接続部３１Ｃ，３１Ｄ、中継部３１Ｅ、及び接続部隣接部３１Ｆ，３１Ｇとそれぞれ同じ形態で、図５に示すように、曲げ部６１Ａ，６１Ｂと、接続部６１Ｃ，６１Ｄと、中継部６１Ｅと、接続部隣接部６１Ｆ，６１Ｇと、を備えている。
【００２５】
第１端子６２は、上述した第１端子３１の曲げ部３１Ａ，３１Ｂ、接続部３１Ｃ，３１Ｄ、中継部３１Ｅ、及び接続部隣接部３１Ｆ，３１Ｇとそれぞれ同じ形態で、図１１に示すように、曲げ部６２Ａ，６２Ｂと、接続部６２Ｃ，６２Ｄと、中継部６２Ｅと、接続部隣接部６２Ｆ，６２Ｇと、を備えている。中継部６２Ｅは、図１１、図１２に示すように、後述する第１保持部７２の樹脂表面において下方に向かって露出する露出面６２Ｈを有している。露出面６２Ｈは、中継部６１Ｅの下面であり、長方形状である。
【００２６】
第２端子６３は、上述した第１端子３１の曲げ部３１Ａ，３１Ｂ、接続部３１Ｃ，３１Ｄ、中継部３１Ｅ、及び接続部隣接部３１Ｆ，３１Ｇとそれぞれ同じ形態で、図６に示すように、曲げ部６３Ａ，６３Ｂと、接続部６３Ｃ，６３Ｄと、中継部６３Ｅと、接続部隣接部６３Ｆ，６３Ｇと、を備えている。
【００２７】
第２保持部７１，７３、及び第１保持部７２は、図４に示すように、それぞれ第２端子６１，６３、及び第１端子６２の周りをそれぞれ樹脂被覆している。第２保持部７１，７３、及び第１保持部７２は、それぞれ第２端子６１，６３、及び第１端子６２をインサート成形（１次インサート成形）するモールド樹脂によって成形されている。具体的には、第２保持部７１は、第２端子６１の接続部６１Ｃ，６１Ｄを除く部分を被覆している。第１保持部７２は、第１端子６２の接続部６２Ｃ，６２Ｄを除く部分を被覆している。第２保持部７３は、第２端子６３の接続部６３Ｃ，６３Ｄを除く部分を被覆している。以下、第２保持部７１，７３、及び第１保持部７２について詳しく説明する。
【００２８】
第２保持部７１は、図４、図５に示すように、中継保持部７１Ｅと、隣接部保持部７１Ｆ，７１Ｇと、を備えている。中継保持部７１Ｅは、第２端子６１の中継部６１Ｅと対応する部位に設けられている。中継保持部７１Ｅは、中継部６１Ｅの長手方向に沿って延びる略直方体形状であり、中継部６１Ｅの周りの全周を樹脂被覆するように、中継部６１Ｅを保持している。隣接部保持部７１Ｆは、接続部隣接部６１Ｆの長手方向に沿う略直方体形状であり、接続部隣接部６１Ｆの周りの全周を樹脂被覆している。隣接部保持部７１Ｇは、接続部隣接部６１Ｇの長手方向に沿う長手状であり、接続部隣接部６１Ｇの周りの全周を樹脂被覆している。第２保持部７１は、中継保持部７１Ｅの右端及び左端が、それぞれ隣接部保持部７１Ｆの下端及び隣接部保持部７１Ｇの上端とつながっており、図５に示すように、正面視でクランク状になっている。
【００２９】
第１保持部７２は、図４、図１１に示すように、中継保持部７２Ｅと、隣接部保持部７２Ｆ，７２Ｇと、リブ７２Ｈと、を備えている。中継保持部７２Ｅは、第１端子６２の中継部６２Ｅと対応する部位に設けられている。中継保持部７２Ｅは、中継部６２Ｅの長手方向に沿って延びる略直方体形状であり、中継部６２Ｅの正面、背面、及び下面を樹脂被覆するように、中継部６２Ｅを保持している。中継保持部７２Ｅは、第１端子６２の中継部６２Ｅの下面（露出面６２Ｈ）を露出させている。中継保持部７２Ｅの下面は、中継部６２Ｅの下面と面一状になっている。隣接部保持部７２Ｆは、接続部隣接部６２Ｆの長手方向に沿う略直方体形状であり、接続部隣接部６２Ｆの周りの全周を樹脂被覆している。隣接部保持部７２Ｇは、接続部隣接部６２Ｇの長手方向に沿う長手状であり、接続部隣接部６２Ｇの周りの全周を樹脂被覆している。第１保持部７２は、図４、図１１に示すように、中継保持部７２Ｅの右端及び左端が、それぞれ隣接部保持部７２Ｆの下端及び隣接部保持部７２Ｇの上端とつながっており、図１１に示すように、正面視でクランク状になっている。リブ７２Ｈは、図４〜図７に示すように、隣接部保持部７２Ｇの左側の凹み部分に形成され、正面視長方形状の突出片である。リブ７２Ｈは、下端が隣接部保持部７２Ｇの下端と同じ高さに位置し、左端が隣接部保持部７２Ｇの左端と左右方向で同じ位置にある。
【００３０】
第２保持部７３は、図４、図６に示すように、中継保持部７３Ｅと、隣接部保持部７３Ｆ，７３Ｇと、を備えている。中継保持部７３Ｅは、第２端子６３の中継部６３Ｅと対応する部位に設けられている。中継保持部７３Ｅは、中継部６３Ｅの長手方向に沿って延びる略直方体形状であり、中継部６３Ｅの周りの全周を樹脂被覆するように、中継部６３Ｅを保持している。隣接部保持部７３Ｆは、接続部隣接部６３Ｆの長手方向に沿う略直方体形状であり、接続部隣接部６３Ｆの周りの全周を樹脂被覆している。隣接部保持部７３Ｇは、接続部隣接部６３Ｇの長手方向に沿う長手状であり、接続部隣接部６３Ｇの周りの全周を樹脂被覆している。第２保持部７３は、中継保持部７３Ｅの右端及び左端が、それぞれ隣接部保持部７３Ｆの下端及び隣接部保持部７３Ｇの上端とつながっており、図６に示すように、背面視でクランク状になっている。
【００３１】
第２保持部７１，７３、及び第１保持部７２は、図７、図１２に示すように、幅方向（前後方向）に一体に連なっている。具体的には、第２保持部７１、第１保持部７２、及び第２保持部７３は、この順番で前側から後側に向かって並んでいる。また、第２保持部７１、第１保持部７２、及び第２保持部７３は、各端子６１，６２，６３の上下方向における位置（高さ）が同じになるように連なっている。そのため、第１保持部７２は、第１端子６２の中継部６２Ｅを下方から覆っていない分、第２保持部７１，７３に対して上方に凹んでいる。これにより、他側端子ブロック部５０は、下面が凹凸状になっており、凹みの底面（中継保持部７２Ｅの下面）に第１端子６２が位置している。
【００３２】
以上のように構成される一側端子ブロック部２０と他側端子ブロック部５０は、図５〜図１２に示すように、他側端子ブロック部５０が一側端子ブロック部２０を上方から覆うように、高さ方向で積層されている。一側端子ブロック部２０と他側端子ブロック部５０は、高さ方向に凹凸嵌合している。具体的には、図１２に示すように、第２保持部４２の上端が、第２保持部７１と第２保持部７３の間に嵌まり込んでいる。一側端子ブロック部２０の各保持部４１〜４３の上面は、それぞれ他側端子ブロック部５０の各保持部７１〜７３の下面に接触している。このように、一側端子ブロック部２０と他側端子ブロック部５０が凹凸嵌合することで、各ブロック２０，５０が互いに位置ずれすることを防ぐことができる。そして、他側端子ブロック部５０の第２保持部７１，７３は、それぞれ一側端子ブロック部２０の第１端子３１，３３の露出面３１Ｈ，３３Ｈを上方から覆っている。一側端子ブロック部２０の第２保持部４２は、他側端子ブロック部５０の第１端子６２の露出面６２Ｈを下方から覆っている。
【００３３】
また、一側端子ブロック部２０の各端子３１〜３３と、それぞれ他側端子ブロック部５０の各端子６１〜６３との間の間隔は、一定に保たれ、これらの間には樹脂が介在している。そのため、各端子３１〜３３とそれぞれ各端子６１〜６３との間の沿面距離（絶縁距離）が確実に確保されることになる。その上で、第２保持部７１，７３，４２は、それぞれ第１保持部４１，４３，７２の樹脂表面に露出する第１端子３１，３３，６２の露出面３１Ｈ，３３Ｈ，６２Ｈを覆っている。そのため、第１保持部４１，４３，７２は、露出面３１Ｈ，３３Ｈ，６２Ｈを樹脂被覆することなく、第２保持部７１，７３，４２の樹脂をそれぞれ第２端子６１，６３，３２との間に介在させることができる。これにより、コネクタ１０は、露出面３１Ｈ，３３Ｈ，６２Ｈを樹脂被覆しない分だけ低背化を図ることができる。したがって、コネクタ１０は、高さ方向の端子間の沿面距離を確保した上で、低背化が可能となる。
【００３４】
例えば、図１３に示すように、従来のコネクタ１１０では、一側端子ブロック部１２０は、積層部分において、保持部１４０によって全ての端子１３０の周りの全周を樹脂被覆していた。同様に、他側端子ブロック部１５０は、積層部分において、保持部１７０によって全ての端子１６０の周りの全周を樹脂被覆していた。そのため、コネクタ１１０は、高さ方向における端子１３０と端子１６０との間に、それぞれの保持部１４０，１７０の被覆部分が介在することになり、低背化を図ることが難しかった。しかしながら、本実施例では、一部の端子を露出するように、一側端子ブロック部２０の上面、及び他側端子ブロック部５０の下面を凹凸状にして凹凸嵌合する構成とすることで、端子を樹脂被覆しない分（図１３のＴで示す厚さ分）だけ低背化を図ることが可能である。
【００３５】
一側端子ブロック部２０と他側端子ブロック部５０の凹凸嵌合によって、中継部３１Ｅ〜３３Ｅとそれぞれ中継部６１Ｅ〜６３Ｅとの間のピッチが狭くなる。しかしながら、接続部３１Ｃ〜３３Ｃ，６１Ｃ〜６３Ｃは、中継部３１Ｅ〜３３Ｅ，６１Ｅ〜６３Ｅと交差する方向に延びるため、中継部間のピッチの変更の影響が接続部間のピッチに及ばない。これにより、コネクタ１０は、相手端子との接続に支障が生じないように低背化を図ることができる。
【００３６】
また、図５に示すように、隣接部保持部４１Ｆ，４１Ｇは、それぞれ隣接部保持部７１Ｆ，７１Ｇに左右方向で重なっている。図１１に示すように、隣接部保持部４２Ｆ，４２Ｇは、それぞれ隣接部保持部７２Ｆ，７２Ｇに左右方向で重なっている。図６に示すように、隣接部保持部４３Ｆ，４３Ｇは、それぞれ隣接部保持部７３Ｆ，７３Ｇに左右方向で重なっている。これにより、コネクタ１０は、接続部隣接部３１Ｆ〜３３Ｆ，３１Ｇ〜３３Ｇとそれぞれ接続部隣接部６１Ｆ〜６３Ｆ，６１Ｇ〜６３Ｇとの間に樹脂が介在することになり、これら接続部隣接部の間における沿面距離（絶縁距離）を確実に確保することができる。
【００３７】
ハウジング８０は、積層状態の一側端子ブロック部２０及び他側端子ブロック部５０を、インサート成形（２次インサート成形）するモールド樹脂によって成形され、一側端子ブロック部２０及び他側端子ブロック部５０の周囲を樹脂で一括して覆っている。ハウジング８０は、図１に示すように、各端子３１〜３３，６１〜６３の配索形態に沿うように、全体としてクランク状に屈曲する形態である。ハウジング８０の上端には、上方に開放された筒状のフード部８１が設けられている。
【００３８】
フード部８１内には、各端子３１〜３３，６１〜６３の接続部３１Ｃ〜３３Ｃ，６１Ｃ〜６３Ｃが突出して配置されている。また、各端子３１〜３３の接続部３１Ｄ〜３３Ｄ，６１Ｄ〜６３Ｄは、ハウジング８０の下端から下方に突出して配置されている。接続部３１Ｃ〜３３Ｃ，６１Ｃ〜６３Ｃには、図示しない相手端子が電気的に接続される。接続部３１Ｄ〜３３Ｄ，６１Ｄ〜６３Ｄには、例えば図示しないプリント回路基板の導電部等（相手端子）が電気的に接続されるようになっている。
【００３９】
本実施例１のコネクタ１０は、第１端子３１，３３，６２及び第２端子３２，６１，６３の周りをそれぞれ樹脂被覆する第１保持部４１，４３，７２及び第２保持部４２，７１，７３を備えている。そして、第１保持部４１，４３，７２と第２保持部７１，７３，４２は、互いに高さ方向で積層されている。そのため、コネクタ１０は、第１端子３１，３３，６２と第２端子６１，６３，３２との間には樹脂が介在することになり、第１端子３１，３３，６２と第２端子６１，６３，３２の間の沿面距離（絶縁距離）を確実に確保することができる。その上で、第２保持部４２，７１，７３は、第１保持部７２，４１，４３との積層状態で、第１保持部７２，４１，４３の樹脂表面に露出する第１端子６２，３１，３３の露出面６２Ｈ，３１Ｈ，３３Ｈを覆う部分を有している。そのため、第１保持部７２，４１，４３は、第１端子６２，３１，３３の露出面６２Ｈ，３１Ｈ，３３Ｈを樹脂被覆することなく、第２保持部４２，７１，７３の樹脂を第２端子３２，６１，６３との間に介在させることができる。これにより、コネクタ１０は、第１端子３１，３３，６２の露出面３１Ｈ，３３Ｈ，６２Ｈを樹脂被覆しない分だけ低背化を図ることができる。したがって、コネクタ１０は、端子間の沿面距離を確保した上で、低背化が可能となる。
【００４０】
また、第１端子３１の中継部３１Ｅは、露出面３１Ｈを有している。第２保持部７１の中継保持部７１Ｅは、露出面３１Ｈを覆う。
相手端子との関係上、第１端子３１及び第２端子６１の両接続部３１Ｃ，６１Ｃは、端子間の一定のピッチを確保する必要がある。そこで、第１端子３１における接続部３１Ｃとは異なる部分である中継部３１Ｅに露出面３１Ｈを設け、第２保持部７１の中継保持部７１Ｅで露出面３１Ｈを覆う構成としている。このように、コネクタ１０は、各接続部３１Ｃ，６１Ｃとは異なる部分であり、高さ方向に沿って配置される中継部３１Ｅ，６１Ｅで端子間のピッチの変更を行うことで、相手端子との接続に支障が生じないように低背化を図ることができる。
以上、第１端子３１と第２端子６１の関係による効果について説明したが、第１端子６２と第２端子３２の間、第１端子３３と第２端子６３の間における関係も同様の効果を奏する。
【００４１】
また、第１端子３１は、接続部３１Ｃ，３１Ｄと同方向に延び、中継部３１Ｅ側に位置する接続部隣接部３１Ｆ，３１Ｇを有し、接続部隣接部３１Ｆ，３１Ｇの周りの全周がそれぞれ第１保持部４１で樹脂被覆されている。第２端子６１は、接続部６１Ｃ，６１Ｄと同方向に延び、中継部６１Ｅ側に位置する接続部隣接部６１Ｆ，６１Ｇを有し、接続部隣接部６１Ｆ，６１Ｇの周りの全周がそれぞれ第２保持部７１で樹脂被覆されている。
これによれば、コネクタ１０は、接続部隣接部３１Ｆ，６１Ｆの間、接続部隣接部３１Ｇ，６１Ｇに樹脂が介在することになり、両接続部隣接部の間における沿面距離（絶縁距離）を確実に確保することができる。
以上、第１端子３１と第２端子６１の関係による効果について説明したが、第１端子６２と第２端子３２の間、第１端子３３と第２端子６３の間における関係も同様の効果を奏する。
【００４２】
また、コネクタ１０は、第１保持部４１，４３と第２保持部４２が幅方向（前後方向）に一体に連なり、凹みの底面に第１端子３１，３３が位置する凹凸状の一側端子ブロック部２０を備えている。コネクタ１０は、第１保持部７２と第２保持部７１，７３が幅方向（前後方向）に一体に連なり、凹みの底面に第１端子６２が位置する凹凸状の他側端子ブロック部５０を備えている。一側端子ブロック部２０と他側端子ブロック部５０は、高さ方向に凹凸嵌合するように積層されている。
これによれば、コネクタ１０は、一側端子ブロック部２０と他側端子ブロック部５０が互いに位置ずれすることを防ぐことができる。その上で、一側端子ブロック部２０及び他側端子ブロック部５０は、凹みの底面に第１端子３１，３３，６２が位置する構成であり、第１端子３１，３３，６２の露出面３１Ｈ，３３Ｈ，６２Ｈを他方の端子ブロック部で覆うことができる。これにより、コネクタ１０は、一側端子ブロック部２０と他側端子ブロック部５０の凹凸嵌合を利用して第１端子３１，３３，６２の露出面３１Ｈ，３３Ｈ，６２Ｈを覆うことができる。したがって、コネクタ１０は、一側端子ブロック部２０及び他側端子ブロック部５０の互いの位置ずれを防ぎつつ、端子間の沿面距離を確保した上で、低背化が可能な構成とすることができる。
【００４３】
＜他の実施例＞
本発明は上記記述及び図面によって説明した実施例に限定されるものではなく、例えば次のような実施例も本発明の技術的範囲に含まれる。
（１）上記実施例において、一側端子ブロック部２０は、上面が左右方向に一様に続く凹凸状になっていたが、左右方向の途中で凹凸パターンが反転するような形態（千鳥足状に凸部が並ぶ形態）であってもよい。例えば、一側端子ブロック部２０の上面において、前後方向（幅方向）で凹部（底面で端子が露出する凹部）、凸部（端子が被覆される凸部）、凹部の順に並ぶ領域と、凸部、凹部、凸部の順に並ぶ領域と、が含まれる構成であってもよい。この場合、他側端子ブロック部５０の下面の形態も、一側端子ブロック部２０とは反対のパターンで凹凸状となる。
（２）上記実施例において、一側端子ブロック部２０は、上面に２つの凹部と１つの凸部が形成されていたが、凹部と凸部の数はこれに限定されない。例えば、一側端子ブロック部２０は、上面に１つの凹部と１つの凸部が形成されるパターン（第１保持部４１及び第２保持部４２で構成されるパターン）であってもよい。同様に、他側端子ブロック部５０の下面も、凹部と凸部の数が限定されない。
（３）上記実施例において、第１保持部４１，４３，７２からそれぞれ１つの端子（第１端子３１，３３，６２）が露出される構成であったが、２つ以上の端子が露出する構成であってもよい。
（４）上記実施例において、コネクタ１０は、各端子３１〜３３，６１〜６３が、クランク状であったが、コ字状であってもよい。すなわち、各端子３１〜３３，６１〜６３は、一対の接続部がそれぞれ反対側に延出する形態であったが、一対の接続部が同じ側に延出する形態であってもよい。
（５）上記実施例において、第１端子３１の曲げ部３１Ａ，３１Ｂは、直角曲げされていたが、上下方向（高さ方向）に交差する形態であれば、直角に曲がらなくてもいい。その他の端子３２，３３，６１〜６３についても、同様である。
（６）上記実施例において、コネクタ１０は、一側端子ブロック部２０及び他側端子ブロック部５０が、インサート成形されたハウジング８０によって覆われる構成であった。しかしながら、コネクタ１０は、ハウジング８０で覆うためのインサート成形を施さず、積層状態の一側端子ブロック部２０及び他側端子ブロック部５０によって構成されるブロックコネクタであってもよい。
【符号の説明】
【００４４】
１０…コネクタ
２０…一側端子ブロック部（端子ブロック部）
３１，３３，６２…第１端子
３１Ｃ，３１Ｄ，３２Ｃ，３２Ｄ，３３Ｃ，３３Ｄ，６１Ｃ，６１Ｄ，６２Ｃ，６２Ｄ，６３Ｃ，６３Ｄ…接続部
３１Ｅ，３２Ｅ，３３Ｅ，６１Ｅ，６２Ｅ，６３Ｅ…中継部
３１Ｈ，３３Ｈ，６２Ｈ…露出面
３２，６１，６３…第２端子
３１Ｆ，３１Ｇ，３２Ｆ，３２Ｇ，３３Ｆ，３３Ｇ，６１Ｆ，６１Ｇ，６２Ｆ，６２Ｇ，６３Ｆ，６３Ｇ…接続部隣接部
４１，４３，７２…第１保持部
４１Ｅ，４２Ｅ，４３Ｅ，７１Ｅ，７２Ｅ，７３Ｅ…中継保持部
４２，７１，７３…第２保持部
５０…他側端子ブロック部（端子ブロック部）
【図１】
2020053331.tif 000003
【図２】
2020053331.tif 000004
【図３】
2020053331.tif 000005
【図４】
2020053331.tif 000006
【図５】
2020053331.tif 000007
【図６】
2020053331.tif 000008
【図７】
2020053331.tif 000009
【図８】
2020053331.tif 000010
【図９】
2020053331.tif 000011
【図１０】
2020053331.tif 000012
【図１１】
2020053331.tif 000013
【図１２】
2020053331.tif 000014
【図１３】
2020053331.tif 000015
【手続補正書】
【提出日】令和1年6月21日(2019.6.21)
【手続補正１】
【補正対象書類名】明細書
【補正対象項目名】００２２
【補正方法】変更
【補正の内容】
【００２２】
第１保持部４１，４３、及び第２保持部４２は、図８、図１２に示すように、幅方向（前後方向）に一体に連なっている。具体的には、第１保持部４１、第２保持部４２、及び第１保持部４３は、この順番で前側から後側に向かって並んでいる。また、第１保持部４１、第２保持部４２、及び第１保持部４３は、各端子３１〜３３の上下方向における位置（高さ）が同じになるように連なっている。そのため、第１保持部４１，４３は、それぞれ第１端子３１，３３の中継部３１Ｅ，３３Ｅを上方から覆っていない分、第２保持部４２に対して下方に凹んでいる。これにより、一側端子ブロック部２０は、上面が凹凸状になっており、凹みの底面（中継保持部４１Ｅ，４３Ｅの各上面）に第１端子３１，３３が位置している。
【手続補正２】
【補正対象書類名】明細書
【補正対象項目名】００２５
【補正方法】変更
【補正の内容】
【００２５】
第１端子６２は、上述した第１端子３１の曲げ部３１Ａ，３１Ｂ、接続部３１Ｃ，３１Ｄ、中継部３１Ｅ、及び接続部隣接部３１Ｆ，３１Ｇとそれぞれ同じ形態で、図１１に示すように、曲げ部６２Ａ，６２Ｂと、接続部６２Ｃ，６２Ｄと、中継部６２Ｅと、接続部隣接部６２Ｆ，６２Ｇと、を備えている。中継部６２Ｅは、図１１、図１２に示すように、後述する第１保持部７２の樹脂表面において下方に向かって露出する露出面６２Ｈを有している。露出面６２Ｈは、中継部６２Ｅの下面であり、長方形状である。
【手続補正３】
【補正対象書類名】明細書
【補正対象項目名】００３２
【補正方法】変更
【補正の内容】
【００３２】
以上のように構成される一側端子ブロック部２０と他側端子ブロック部５０は、図５〜図１２に示すように、他側端子ブロック部５０が一側端子ブロック部２０を上方から覆うように、高さ方向で積層されている。一側端子ブロック部２０と他側端子ブロック部５０は、高さ方向に凹凸嵌合している。具体的には、図１２に示すように、第２保持部４２の上端が、第２保持部７１と第２保持部７３の間に嵌まり込んでいる。一側端子ブロック部２０の各保持部４１〜４３の上面は、それぞれ他側端子ブロック部５０の各保持部７１〜７３の下面に接触している。このように、一側端子ブロック部２０と他側端子ブロック部５０が凹凸嵌合することで、各端子ブロック部２０，５０が互いに位置ずれすることを防ぐことができる。そして、他側端子ブロック部５０の第２保持部７１，７３は、それぞれ一側端子ブロック部２０の第１端子３１，３３の露出面３１Ｈ，３３Ｈを上方から覆っている。一側端子ブロック部２０の第２保持部４２は、他側端子ブロック部５０の第１端子６２の露出面６２Ｈを下方から覆っている。